(57)【要約】【課題】簡易な構成で、帯電ロール等の接触帯電部材に付着した異物を取り除く性能を長期にわたって維持する。【解決手段】帯電ロール１３ａをクリーニングする場合は、クリーニングブラシ５９を帯電ロール１３ａに当接させると共に、ブラシクリーナ１００のワイヤーをクリーニングブラシ５９から離間させ、この状態で感光体ドラム１２を回転させることで帯電ロール１３ａを従動回転させる。また、クリーニングブラシ５９をクリーニングする場合は、クリーニングブラシ５９を帯電ロール１３ａから離間させると共に、ブラシクリーナ１００のワイヤーをクリーニングブラシ５９に当接させ、クリーニングブラシ５９の毛先を叩く。【選択図】　　　図７
2004109870.tif 000002
【特許請求の範囲】
【請求項１】
像担持体に対して回転可能に接触配置され、当該像担持体を帯電する接触帯電部材と、
前記接触帯電部材に対して接離自在に配設されるクリーニングブラシと、
前記接触帯電部材に対して前記クリーニングブラシを当接させる当接動作に連動して前記クリーニングブラシから離間すると共に、当該接触帯電部材から当該クリーニングブラシを離間させる離間動作に連動して当該クリーニングブラシに当接するブラシ清掃部材と
を含む帯電装置。
【請求項２】
前記ブラシ清掃部材は、前記クリーニングブラシの長手方向に沿って配設される線状部材からなることを特徴とする請求項１に記載の帯電装置。
【請求項３】
前記クリーニングブラシを揺動自在に支持するサポート部材と、
前記ブラシ清掃部材を支持すると共に、前記サポート部材の揺動に連動して揺動する揺動支持部材とをさら含むことを特徴とする請求項１に記載の帯電装置。
【請求項４】
前記ブラシ清掃部材を支持すると共に、前記接触帯電部材に対する前記クリーニングブラシの接離動作に連動してスライドするスライド支持部材をさらに含むことを特徴とする請求項１に記載の帯電装置。
【請求項５】
像担持体に対して回転可能に接触配置され、当該像担持体を帯電する接触帯電部材と、
前記接触帯電部材に対して接離自在に配設されるクリーニングブラシと、
前記クリーニングブラシを揺動自在に支持するサポート部材と、
前記接触帯電部材に対して前記クリーニングブラシを当接させる当接動作に連動して前記サポート部材から離間すると共に、当該接触帯電部材から当該クリーニングブラシを離間させる離間動作に連動して当該サポート部材に当接する接離部材と
を含む帯電装置。
【請求項６】
前記接離部材を支持すると共に、前記接触帯電部材に対する前記クリーニングブラシの接離動作に連動してスライドするスライド支持部材をさらに含むことを特徴とする請求項５に記載の帯電装置。
【請求項７】
回転可能に配設される像担持体と、
前記像担持体に対して回転可能に接触配置され、前記像担持体を帯電する接触帯電部材と、
前記接触帯電部材に対して接離自在に配設されるクリーニングブラシと、
前記クリーニングブラシに対して接離自在に配設され、前記接触帯電部材に対して前記クリーニングブラシを当接させる当接動作に連動して前記クリーニングブラシから離間し、当該接触帯電部材から当該クリーニングブラシを離間させる離間動作に連動して当該クリーニングブラシに当接するブラシ清掃部材と、
前記接触帯電部材によって帯電された前記像担持体を露光するための光路を開閉するシャッタ部材と、
前記クリーニングブラシの前記接触帯電部材に対する接離動作と前記シャッタ部材の開閉動作とを連動させるリンク機構と
を有することを特徴とする画像形成装置。
【請求項８】
前記リンク機構は、
前記接触帯電部材に前記クリーニングブラシを当接させた場合に前記シャッタ部材を閉鎖させ、当該接触帯電部材から当該クリーニングブラシを離間させた場合に当該シャッタ部材を開放することを特徴とする請求項７に記載の画像形成装置。
【発明の詳細な説明】
【０００１】
【発明の属する技術分野】
本発明は、帯電ロール等の接触帯電部材を用いて感光体や中間転写体等の像担持体を帯電する帯電装置等に係り、特に、この接触帯電部材表面に付着した異物を除去する機能を備えた帯電装置等に関する。
【０００２】
【従来の技術】
一般に、電子写真方式を用いたプリンタや複写機などの画像形成装置では、感光体ドラム等の像担持体上に静電潜像を形成するために、像担持体を予め所定の電位に帯電する帯電装置が用いられている。また、中間転写ベルトなどの中間転写体を用いたタイプの画像形成装置では、像担持体上に形成されたトナー像を中間転写体に一次転写するために中間転写体を帯電する帯電装置が用いられる。
【０００３】
この種の帯電装置として、近年、帯電ロールを用いた接触型帯電装置が種々提案され、また、実用化されてきている。帯電ロールを用いた接触型帯電装置では、像担持体の表面に弾性を有する帯電ロールを回転可能に接触配置し、この帯電ロールにバイアス電圧を印加してその接触部近傍において帯電を行うものが存在する。このような接触型帯電装置は、コロナ放電を利用するコロトロン等の非接触型帯電装置と比較して、オゾンや窒素酸化物等の放電生成物が生成されにくく、また、帯電装置自体を小型化できるという利点がある。一方、帯電ロールが像担持体に接触配置されることから、像担持体に付着した残トナー、トナーに含まれる外添剤成分、埃、紙粉等の異物が帯電ロールに転移して付着しやすくなる。このため、このような異物が付着した部位の帯電性能の変動に伴って異常放電や不安定な放電が発生し、カブリなどの画質欠陥が発生しやすくなるという問題があった。
【０００４】
このような問題を解決するため、帯電ロールの表面にクリーニングブラシを当接させることにより、帯電ロールに付着した異物を取り除くようにした技術が提案されている。ただし、この手法を採用した場合、今度は、取り除かれた異物がクリーニングブラシに付着して溜まることにより帯電ロールの清掃能力が低下し、帯電ロールに付着した異物の除去が不十分となって上述した問題が再発してしまうおそれがある。そこで、クリーニングブラシを回転可能に配設すると共に、この回転するクリーニングブラシに接触してこのクリーニングブラシに付着した異物を叩き落とす叩き部材を取り付けることが提案されている（特許文献１参照。）。
【０００５】
【特許文献１】
特開平７−１９９６０６号公報（第４頁、図１）
【０００６】
【発明が解決しようとする課題】
しかしながら、特許文献１に記載される発明のように、クリーニングブラシを回転可能に配設するためには、クリーニングブラシの回転駆動機構を設けなければならない分、コストが嵩むほか、装置の大型化、複雑化を招くという技術的課題がみられた。
また、叩き部材が常時クリーニングブラシに接触することとなるため、クリーニングブラシの回転を停止した場合に、叩き部材に接触する部位のブラシが変形し、クリーニング性能を低下させてしまうという技術的課題がみられた。
本発明は、以上の技術的課題を解決するためになされたものであって、その目的とするところは、簡易な構成で、帯電ロール等の接触帯電部材に付着した異物を取り除く性能を長期にわたって維持することにある。
また、本発明の他の目的は、クリーニングブラシの変形を抑制することにある。
【０００７】
【課題を解決するための手段】
かかる目的のもと、本発明では、接触帯電部材をクリーニングするためのクリーニングブラシを接触帯電部材に対して接離自在に配設すると共に、クリーニングブラシが接触帯電部材から離間する動きに連動してクリーニングブラシを清掃するブラシ清掃部材を設けることにより、簡易な構成で、接触帯電部材に付着した異物を取り除く性能を長期にわたって維持することを達成するようにした。
また、本発明では、クリーニングブラシを清掃するブラシ清掃部材をクリーニングブラシに対して接離自在に配設することで、クリーニングブラシの変形を抑制することを達成するようにした。
【０００８】
すなわち、本発明の帯電装置は、像担持体に対して回転可能に接触配置され、像担持体を帯電する接触帯電部材と、接触帯電部材に対して接離自在に配設されるクリーニングブラシと、接触帯電部材に対してクリーニングブラシを当接させる当接動作に連動してクリーニングブラシから離間すると共に、接触帯電部材からクリーニングブラシを離間させる離間動作に連動してクリーニングブラシに当接するブラシ清掃部材とをふくんでいる。この帯電装置において、ブラシ清掃部材は、クリーニングブラシの長手方向に沿って配設される線状部材からなることを特徴とすることができる。
【０００９】
また、クリーニングブラシを揺動自在に支持するサポート部材と、ブラシ清掃部材を支持すると共に、サポート部材の揺動に連動して揺動する揺動支持部材とをさら含むことを特徴とすることができる。
さらに、ブラシ清掃部材を支持すると共に、接触帯電部材に対するクリーニングブラシの接離動作に連動してスライドするスライド支持部材をさらに含むことを特徴とすることができる。
【００１０】
また、別の観点から捉えると、本発明の帯電装置は、像担持体に対して回転可能に接触配置され、像担持体を帯電する接触帯電部材と、接触帯電部材に対して接離自在に配設されるクリーニングブラシと、クリーニングブラシを揺動自在に支持するサポート部材と、接触帯電部材に対してクリーニングブラシを当接させる当接動作に連動してサポート部材から離間すると共に、接触帯電部材からクリーニングブラシを離間させる離間動作に連動してサポート部材に当接する接離部材とを含んでいる。
この帯電装置では、接離部材を支持すると共に、接触帯電部材に対するクリーニングブラシの接離動作に連動してスライドするスライド支持部材をさらに含むことを特徴とすることができる。
【００１１】
また、本発明の画像形成装置は、回転可能に配設される像担持体と、像担持体に対して回転可能に接触配置され、像担持体を帯電する接触帯電部材と、接触帯電部材に対して接離自在に配設されるクリーニングブラシと、クリーニングブラシに対して接離自在に配設され、接触帯電部材に対してクリーニングブラシを当接させる当接動作に連動してクリーニングブラシから離間し、接触帯電部材からクリーニングブラシを離間させる離間動作に連動してクリーニングブラシに当接するブラシ清掃部材と、接触帯電部材によって帯電された像担持体を露光するための光路を開閉するシャッタ部材と、クリーニングブラシの接触帯電部材に対する接離動作とシャッタ部材の開閉動作とを連動させるリンク機構とを有することを特徴としている。
この画像形成装置において、リンク機構は、接触帯電部材にクリーニングブラシを当接させた場合にシャッタ部材を閉鎖させ、接触帯電部材からクリーニングブラシを離間させた場合にシャッタ部材を開放することを特徴とすることができる。
【００１２】
【発明の実施の形態】
以下、添付図面を参照して、実施の形態について詳細に説明する。
―実施の形態１―
図１は実施の形態１に係る画像形成装置の全体構成を示した図であり、所謂タンデム型のデジタルカラープリンタを示している。図１に示す画像形成装置は、本体１に、各色の階調データに対応して画像形成を行う画像プロセス系１０、記録用紙（シート）を搬送するシート搬送系４０、例えばパーソナルコンピュータや画像読み取り装置等に接続され、受信された画像データに対して所定の画像処理を施す画像処理系であるＩＰＳ（Ｉｍａｇｅ　Ｐｒｏｃｅｓｓｉｎｇ　Ｓｙｓｔｅｍ）５０を備えている。
【００１３】
画像プロセス系１０は、水平方向に一定の間隔を置いて並列的に配置される、イエロー（Ｙ）、マゼンタ（Ｍ）、シアン（Ｃ）、黒（Ｋ）の４つの画像形成ユニット１１Ｙ，１１Ｍ，１１Ｃ，１１Ｋ、この画像形成ユニット１１Ｙ，１１Ｍ，１１Ｃ，１１Ｋの感光体ドラム１２（像担持体）に形成された各色のトナー像を中間転写ベルト２１上に多重転写させる転写ユニット２０、画像形成ユニット１１Ｙ，１１Ｍ，１１Ｃ，１１Ｋに対してレーザ光を照射する光学系ユニットであるＲＯＳ（Ｒａｓｔｅｒ　Ｏｕｔｐｕｔ　Ｓｃａｎｎｅｒ）３０を備えている。また本体１には、転写ユニット２０によって二次転写された記録用紙（シート）上の画像を、熱および圧力を用いて記録用紙に定着させる定着器２９を備えている。更に、画像形成ユニット１１Ｙ，１１Ｍ，１１Ｃ，１１Ｋに対して各色のトナーを供給するためのトナーカートリッジ１９Ｙ，１９Ｍ，１９Ｃ，１９Ｋが設けられている。
【００１４】
転写ユニット２０は、中間転写体である中間転写ベルト２１を駆動するドライブロール２２、中間転写ベルト２１に一定のテンションを付与するテンションロール２３、重畳された各色のトナー像を記録用紙に二次転写するためのバックアップロール２４、中間転写ベルト２１上に存在する残留トナー等を除去するクリーニング装置２５を備えている。中間転写ベルト２１は、このドライブロール２２とテンションロール２３およびバックアップロール２４との間に一定のテンションで掛け回されており、定速性に優れた専用の駆動モータ（図示せず）によって回転駆動されるドライブロール２２により、矢印方向に所定の速度で循環駆動される。この中間転写ベルト２１は、例えば、チャージアップを起こさないベルト素材（ゴムまたは樹脂）にて抵抗調整されたものが使用されている。クリーニング装置２５は、クリーニングブラシ２５ａおよびクリーニングブレード２５ｂを備えており、トナー像の転写工程が終了した後の中間転写ベルト２１の表面から残留トナーや紙粉等を除去して、次の画像形成プロセスに備えるように構成されている。
【００１５】
ＲＯＳ３０は、図示しない半導体レーザ、変調器の他、半導体レーザから出射されたレーザ光（ＬＢ−Ｙ，ＬＢ−Ｍ，ＬＢ−Ｃ，ＬＢ−Ｋ）を偏向走査するポリゴンミラー３１を備えている。図１に示す例では、ＲＯＳ３０は、画像形成ユニット１１Ｙ，１１Ｍ，１１Ｃ，１１Ｋの下方に備えられることから、トナー等の落下による汚損の危険性を有している。そこで、ＲＯＳ３０は、各構成部材を密閉するための直方体状のフレーム３２を設け、また、レーザ光（ＬＢ−Ｙ，ＬＢ−Ｍ，ＬＢ−Ｃ，ＬＢ−Ｋ）が通過するガラス製のウィンドウ３３をこのフレーム３２の上方に設けて、走査露光と共にシールド効果を高めるように構成されている。
【００１６】
シート搬送系４０は、画像が記録される記録用紙（シート）を積載して供給する給紙装置４１、給紙装置４１から記録用紙を取り上げて供給するナジャーロール４２、ナジャーロール４２から供給された記録用紙を１枚ずつ分離して搬送するフィードロール４３、フィードロール４３により１枚ずつに分離された記録用紙を画像転写部に向けて搬送する搬送路４４を備えている。また、搬送路４４を介して搬送された記録用紙に対し、二次転写位置に向けてタイミングを合わせて搬送するレジストロール４５、二次転写位置に設けられ中間転写ベルト２１を介してバックアップロール２４に圧接して記録用紙上に画像を二次転写する二次転写ロール４６を備えている。更に、定着器２９によってトナー画像が定着された記録用紙を本体１の機外に排出する排出ロール４７、排出ロール４７によって排出された記録用紙を積載する排出トレイ４８を有する。また、定着器２９によって定着された記録用紙を反転させて両面記録を可能とする両面用搬送ユニット４９を備えている。
【００１７】
次に、画像プロセス系１０における画像形成ユニット１１Ｙ，１１Ｍ，１１Ｃ，１１Ｋについて詳述する。
図２は、画像形成ユニット１１Ｙ，１１Ｍ，１１Ｃ，１１Ｋの構成を説明するための図であり、ここでは、イエロー（Ｙ）の画像形成ユニット１１Ｙとマゼンタ（Ｍ）の画像形成ユニット１１Ｍとが示されている。他の画像形成ユニット１１Ｃ，１１Ｋもほぼ同様に構成されている。
【００１８】
画像形成ユニット１１Ｙ，１１Ｍ，１１Ｃ，１１Ｋは、トナー像を担持させる像担持体としての感光体ドラム１２、接触帯電部材としての帯電ロール１３ａを用いて感光体ドラム１２を帯電させる帯電器１３、帯電器１３によって帯電され、ＲＯＳ３０からのレーザ光（ＬＢ−Ｙ，ＬＢ−Ｍ，ＬＢ−Ｃ，ＬＢ−Ｋ）によって感光体ドラム１２上に形成された静電潜像を現像ロール１４ａによって現像する現像器１４、中間転写ベルト２１を挟んで感光体ドラム１２に対向して設けられ、感光体ドラム１２上に現像されたトナー像を中間転写ベルト２１上に転写する一次転写ロール１５、転写後に感光体ドラム１２上に残った残留トナーを除去するクリーニング装置１６を備えている。これらのうち、帯電器１３の詳細については後述する。
【００１９】
尚、本実施の形態では、画像形成ユニット１１Ｙ，１１Ｍ，１１Ｃ，１１Ｋの感光体ドラム１２、帯電器１３、およびクリーニング装置１６を一体化し、カートリッジ化することで、画像形成装置の本体１からこのカートリッジだけを取り外し、また、カートリッジだけを本体１に対して取り付け可能に構成されている。そして、この各々のカートリッジには、不揮発性メモリ（図示せず）が搭載されている。この不揮発性メモリには、例えば、感光体ドラム１２の回転数、高圧電圧印加時間、プリント枚数など、所定の画像形成ユニット１１Ｙ，１１Ｍ，１１Ｃ，１１Ｋにて、そのカートリッジが装着された際の、各々のカートリッジ使用履歴情報が格納されている。これらのカートリッジは、画像形成ユニット１１Ｙ，１１Ｍ，１１Ｃ，１１Ｋの間で差し替えて用いることもできる。各々のカートリッジに夫々不揮発性メモリが搭載されていることにより、カートリッジが異なるユニットで用いられた場合であっても、トータルとしての自らの使用履歴情報を、カートリッジ自らが保存することができる。その結果、カートリッジ毎に、例えば、正しい寿命を判断することができる。
【００２０】
次に、図１に示す画像形成装置の動作について説明する。図示しない原稿読み取り装置によって読み取られた原稿の色材反射光像や、図示しないパーソナルコンピュータ等にて形成された色材画像データは、例えばＲ（赤）、Ｇ（緑）、Ｂ（青）の各８ビットの反射率データとしてＩＰＳ５０に入力される。ＩＰＳ５０では、入力された反射率データに対して、シェーディング補正、位置ズレ補正、明度／色空間変換、ガンマ補正、枠消しや色編集、移動編集等の各種画像編集等の所定の画像処理が施される。画像処理が施された画像データは、イエロー（Ｙ）、マゼンタ（Ｍ）、シアン（Ｃ）、黒（Ｋ）の４色の色材階調データに変換され、ＲＯＳ３０に出力される。
【００２１】
ＲＯＳ３０では、入力された色材階調データに応じて、半導体レーザ（図示せず）から出射されたレーザ光（ＬＢ−Ｙ，ＬＢ−Ｍ，ＬＢ−Ｃ，ＬＢ−Ｋ）を、ｆ−θレンズ（図示せず）を介してポリゴンミラー３１に出射している。ポリゴンミラー３１では、入射されたレーザ光を各色の階調データに応じて変調し、偏向走査して、図示しない結像レンズおよび複数枚のミラーを介して画像形成ユニット１１Ｙ，１１Ｍ，１１Ｃ，１１Ｋの感光体ドラム１２に照射している。画像形成ユニット１１Ｙ，１１Ｍ，１１Ｃ，１１Ｋの感光体ドラム１２では、帯電された表面が走査露光され、静電潜像が形成される。形成された静電潜像は、各々の画像形成ユニット１１Ｙ，１１Ｍ，１１Ｃ，１１Ｋにて、イエロー（Ｙ）、マゼンタ（Ｍ）、シアン（Ｃ）、黒（Ｋ）の各色のトナー像として現像される。
【００２２】
画像形成ユニット１１Ｙ，１１Ｍ，１１Ｃ，１１Ｋの感光体ドラム１２上に形成されたトナー像は、中間転写体である中間転写ベルト２１上に多重転写される。このとき、黒色のトナー像を形成する黒の画像形成ユニット１１Ｋは、中間転写ベルト２１の移動方向の最下流側に設けられ、黒色のトナー像は、中間転写ベルト２１に対して最後に一次転写される。
【００２３】
一方、シート搬送系４０では、画像形成のタイミングに合わせてナジャーロール４２が回転し、給紙装置４１から所定サイズの記録用紙が供給される。フィードロール４３により１枚ずつ分離された記録用紙は、搬送路４４を経てレジストロール４５に搬送され、一旦、停止される。その後、トナー像が形成された中間転写ベルト２１の移動タイミングに合わせてレジストロール４５が回転し、記録用紙は、バックアップロール２４および二次転写ロール４６によって形成される二次転写位置に搬送される。二次転写位置にて下方から上方に向けて搬送される記録用紙には、圧接力および所定の電界を用いて、４色が多重されているトナー像が副走査方向に順次、転写される。そして、各色のトナー像が転写された記録用紙は、定着器２９によって熱および圧力で定着処理を受けた後、排出ロール４７によって本体１の上部に設けられた排出トレイ４８に排出される。尚、排出トレイ４８にそのまま排出せずに、図示しない切り替えゲートによって搬送方向を切り替え、定着器２９によって定着された記録用紙を両面用搬送ユニット４９によって反転させることもできる。この反転された記録用紙をレジストロール４５に搬送した後、前述と同様な流れによって、印刷されていない他の面について画像を形成することで、記録用紙の両面に画像を形成することが可能となる。
【００２４】
次に、図２に示す画像形成ユニット１１Ｙにおける画像形成動作について詳述する。なお、他の画像形成ユニット１１Ｍ，１１Ｃ，１１Ｋについても同様である。
画像形成動作が開始されると、感光体ドラム１２が回転を開始し、感光体ドラム１２の表面が接触する帯電ロール１３ａによって所定の電位に帯電される。そして、所定の電位に帯電した感光体ドラム１２表面に選択的にレーザ光ＬＢ−Ｙが照射され、作成すべき画像に対応した静電潜像が形成される。次に、回転する現像ロール１４ａから感光体ドラム１２に対し、形成された静電潜像に対応して選択的にトナーが転移し、作成すべき画像に対応したトナー像が形成される。さらに、一次転写ロール１５に印加される一次転写バイアスにより、感光体ドラム１２上に形成されたトナー像が中間転写ベルト２１上に転写される。そして、中間転写ベルト２１に転写されずに感光体ドラム１２上に残留した残留トナーは、クリーニングブレード１６ａによって掻き取られる。
【００２５】
次に、帯電器１３について詳細に説明する。
図３は、帯電器１３を示した図である。この帯電器１３は、感光体ドラム１２（図１参照）の表面に接触してこの感光体ドラム１２の表面を所定の電位に帯電する帯電ロール１３ａと、この帯電ロール１３ａを収容するハウジング５１とを備えている。なお、帯電ロール１３ａの両端には金属製のシャフト１３ｂが取り付けられている。
本実施の形態において、帯電ロール１３ａは例えば外径φ１４、スチレンゴムの下地層にポリアミドにカーボンを分散した表面層を形成したもので構成される。なお、表面層にはフッ素やナイロンを分散させることもある。また、その硬度（アスカＣ）は７０°以下、表面粗さ　Ｒｚは０．９以下、摩擦係数は０．２以下、静電容量は１５００〜３０００ｐＦである。
【００２６】
また、ハウジング５１は、帯電ロール１３ａの一側面に設けられる側壁部５２、この側壁部５２の長手方向両端部に一体的に設けられる軸受け部５３、帯電ロール１３ａの下端面を覆う底壁部を兼ねるサポート部材としての帯電ロールクリーナ５４を有している。なお、軸受け部５３には、帯電ロール１３ａのシャフト１３ｂを回転自在に支持する軸受け５５が、感光体ドラム１２（図１参照）と接離する方向に移動自在に取り付けられている。また、軸受け５５は、軸受け部５３に取り付けられたコイルスプリング５６によって感光体ドラム１２と接近する方向に付勢されている。このコイルスプリング５６およびシャフト１３ｂを介して帯電ロール１３ａに対し所定のバイアス電圧が印加されるようになっている。本実施の形態では、帯電ロール１３ａを回転駆動する駆動機構は特に設けられておらず、帯電ロール１３ａが接触する感光体ドラム１２（図１参照）の回転に伴って従動回転するようになっている。
【００２７】
図４は、帯電ロールクリーナ５４の端部を拡大した図であり、図５は帯電ロールクリーナ５４の全体を示す図である。帯電ロールクリーナ５４は、帯電ロール１３ａの下側に配置された平板５７と、この平板５７の端部から上方に短く起立した側壁部５８とを備えており、平板５７の略山型に形成された上面５７ａには、クリーニングブラシ５９（図５にのみ示す）が両面テープ等によって固着されている。また、帯電ロールクリーナ５４は、図３〜図５に示すように、ハウジング５１の軸受け部５３に、軸６０を中心にして回動自在に取り付けられており、その一部に設けられたストッパ（図示せず）が軸受け部５３と係合することによって回動を停止するようになっている。また、帯電ロールクリーナ５４は、上述した方向とは逆方向に回動した状態で、側壁部５２内面の下端部に設けられたストッパ（図示せず）に当接することによって逆方向への回動を停止するようになっている。
【００２８】
また、帯電ロールクリーナ５４に設けられるクリーニングブラシ５９は、フィルムラミネートの上に基布部および植毛部を形成してなり、フィルムラミネートの底部には平板５７の上面５７ａに貼り付けるための両面テープが取り付けられる。また、基布部はナイロン、植毛部は導電性のＰＥＴベルトロン（カネボウ株式会社の商品名：ＰＥＴとカーボンとが練りこまれたナイロンあるいはポリエステルがポリマーのファイバー）および非導電性の６．６ナイロンの混毛で構成され、そのパイル密度は、２５０±２．５ｋｆ／ｉｎｃｈ、ＰＥＴベルトロンは４４Ｔ／１２ｆ、６．６ナイロンは４８Ｔ／１４ｆである。
【００２９】
図６は、帯電ロールクリーナ５４（図３参照）を揺動させる揺動機構６２およびこの揺動機構６２を駆動する駆動機構７４を示す斜視図であり、図７はその側面図である。なお、ここでは、ブラックの画像形成ユニット１１Ｋを示している。揺動機構６２は、帯電ロール１３ａ（帯電器１３）の下方に配設されており、帯電ロールクリーナ５４を帯電ロール１３ａの表面に対して接離する方向に駆動するカム６３を有している。
【００３０】
図８は、カム６３を示す斜視図である。このカム６３は、断面略円形状の細長い棒状に形成された軸部６４と、この軸部６４の上面に長手方向に沿って一体的に形成された幅の狭い平板部６５と、この平板部６５上に両面テープによる接着によって固着された薄い合成樹脂製のマイラーフィルム（商品名）６６と、軸部６４の軸方向端部に設けられたアーム部６８およびこのアーム部６８の自由短側から外側に向かって膨出する膨出部６８ａを有している。マイラーフィルム６６としては、例えば厚さ１２５μｍのものが用いられる。なお、マイラーフィルム６６の厚さを適宜異ならせることにより、マイラーフィルム６６の弾性変形量を可変でき、クリーニングブラシ５９を帯電ロール１３ａの表面に当接させるための押圧力を調節することが可能である。また、マイラーフィルム６６は、帯電ロールクリーナ５４を回動させる際に特に軸方向中央部が弾性変形しやすく、帯電ロールクリーナ５４の回動が不十分となるのを防止するため、帯電ロールクリーナ５４の背面中央部にはリブ６９が複数本取り付けられている。
【００３１】
一方、駆動機構７４は、図６および図７に示すように、駆動源としてのモータ７５を備えている。この駆動モータ７５に取り付けられたギヤ７６には、二段の減速ギヤ７６，７７を介して駆動アーム７９と一体的に設けられた扇型のギヤ８０が噛み合わされている。そして、駆動アーム７９は、駆動モータ７５を所定量だけ回転駆動することに伴って揺動するようになっている。なお、駆動アーム７９には、カム６３の膨出部６８ａに当接する突起７９ａ（図７にのみ示す）が形成されている。
【００３２】
また、本実施の形態では、図７および図９に示すように、軸１００ａを中心に回動可能に配置され、帯電ロールクリーナ５４の揺動に連動して回動することで、帯電ロールクリーナ５４のクリーニングブラシ５９に付着した異物を除去するブラシクリーナ１００が設けられている。
図１０および図１１は、ブラシクリーナ１００を説明するための図である。ブラシクリーナ１００は、帯電ロールクリーナ５４の側部にこの帯電ロールクリーナ５４の軸方向と平行に配設されるものであって、その両端には軸１００ａが取り付けられる略Ｌ字状のアーム１０２，１０３（揺動支持部材）が形成されている。また、これらアーム１０２，１０３のうち軸１００ａが取り付けられていない長手側１０２ａ，１０３ａの自由端側にはブラシ清掃部材（線状部材）としてのワイヤー１０４が取り付けられている。また、長手側１０２ａ，１０３ａの軸１００ａ側には板状部材１０５が取り付けられており、ワイヤー１０４と板状部材１０５との間に所定の空間が形成されるようになっている。一方、アーム１０２，１０３のうち軸１００ａが取り付けられる短手側１０２ｂ，１０３ｂの先端部は、帯電ロールクリーナ５４の下側に突出して配置されるようになっている。ここで、ワイヤー１０４は、ポリアセタール等の樹脂やステンレス等の金属など、トナーや外添剤などの異物が付着しにくい材質のものを用いることができる。
【００３３】
また、図７および図９に示すように、ブラシクリーナ１００には、このブラシクリーナ１００を帯電ロールクリーナ５４から離間させる方向に向けて付勢するバネ１０１が取り付けられている。なお、図１０および図１１では、駆動アーム７９にリンクロッド８１が取り付けられているが、これの詳細については後述する。
【００３４】
次に、帯電ロールクリーナ５４およびブラシクリーナ１００の動作について説明する。
最初に、図７および図１０を参照しながら、帯電ロール１３ａをクリーニングブラシ５９でクリーニングする動作について説明する。なお、本実施の形態では、通常は帯電ロール１３ａからクリーニングブラシ５９を離間させておき、適宜タイミングで帯電ロール１３ａにクリーニングブラシ５９を当接させて、帯電ロール１３ａ表面のクリーニングを実行するようになっている。
【００３５】
まず、駆動機構７４により駆動アーム７９を図中時計回り方向（右側）に揺動させる。すると、駆動アーム７９の突起７９ａがカム６３の膨出部６８ａを押圧し、これに伴ってカム６３が図中反時計回り方向に揺動する。カム６３が反時計回り方向に揺動するのに伴い、カム６３に取り付けられたマイラーフィルム６６が帯電ロールクリーナ５４の下面を押圧する。これに伴い、帯電ロールクリーナ５４が図中反時計回り方向（上側）に揺動し、帯電ロールクリーナ５４の上面に取り付けられたクリーニングブラシ５９が帯電ロール１３ａに当接することで停止する。一方、帯電ロールクリーナ５４の下面に短手部１０２ｂ，１０３ｂが接触するブラシクリーナ１００は、帯電ロールクリーナ５４の図中反時計回り方向への揺動に伴い、バネ１０１の付勢力によって図中時計回り方向に揺動し、ワイヤー１０４がクリーニングブラシ５９から離間した状態で停止する。
【００３６】
この状態で、感光体ドラム１２を回転させると、感光体ドラム１２に従動回転する帯電ロール１３ａにクリーニングブラシ５９が当接することとなり、帯電ロール１３ａに付着した異物（特に外添剤）が除去されることになる。
このような動作を行うことにより、帯電ロール１３ａから異物を取り除くことができ、帯電ロール１３ａへの異物付着が原因となる感光体ドラム１２の帯電不良を防止することができる。
【００３７】
次に、図９および図１１を参照しながら、クリーニングブラシ５９をブラシクリーナ１００でクリーニングする動作について説明する。
まず、駆動機構７４により駆動アーム７９を図中反時計回り方向（左側）に揺動させる。すると、駆動アーム７９の突起７９ａによるカム６３の膨出部６８ａに対する押圧が解除され、これに伴ってカム６３が図中時計回り方向に揺動する。カム６３が時計回り方向に揺動するのに伴い、カム６３に取り付けられたマイラーフィルム６６が帯電ロールクリーナ５４の下面を押圧しなくなる。これに伴い、帯電ロールクリーナ５４が図中時計回り方向（下側）に揺動し、帯電ロールクリーナ５４の上面に取り付けられたクリーニングブラシ５９が帯電ロール１３ａから離間した状態で停止する。一方、帯電ロールクリーナ５４の下面に短手部１０２ｂ，１０３ｂが接触するブラシクリーナ１００は、帯電ロールクリーナ５４の図中反時計回り方向への揺動に伴い、帯電ロールクリーナ５４の重量によってバネ１０１の付勢力に抗して図中反時計回りに揺動し、ワイヤー１０４がクリーニングブラシ５９の毛先を叩きながら帯電ロールクリーナ５４の軸６０側へと移動して停止する。
【００３８】
この動作により、クリーニングブラシ５９に付着した異物はワイヤー１０４によって叩き落とされることになる。なお、ワイヤー１０４によって叩き落とされた異物は、図示しない吸引機構によって吸引され、図示しないフィルタに捕獲されることとなるため、叩き出された異物が再度帯電ロール１３ａに付着するという事態は生じにくい。また、ワイヤー１０４と板状部材１０５との間に空間を設けているため、ワイヤー１０４に叩かれたクリーニングブラシ５９はすぐに元の状態に戻ることができ、クリーニングブラシ５９にクセがついて変形してしまうという事態も生じにくい。
【００３９】
このような動作を行うことにより、クリーニングブラシ５９から異物を取り除くことができ、異物の帯電ロール１３ａへの再付着を防止すること、および、クリーニングブラシ５９の寿命を長くすることができる。
また、クリーニングブラシ５９は、帯電ロール１３ａの下方向に取り付けられているため、一旦クリーニングブラシ５９で除去された残トナーや埃等の異物が重力によって帯電ロール１３ａ側とは逆方向に落下するため、これら異物が帯電ロール１３ａ側に再度転移するという事態を防止することができる。
【００４０】
ところで、本実施の形態にかかる画像形成装置は、所謂四連タンデム型の画像形成装置であり、感光体ドラム１２および感光体ドラム１２に接触配置される帯電ロール１３ａは合わせて四つある。これら各帯電ロール１３ａに設けられる帯電ロールクリーナ５４およびカム６３に対して、それぞれ上述した駆動機構７４を取り付けても差し支えないが、本実施の形態では、構成を簡易化する目的で、図１０および図１１に示すように、駆動機構７４の駆動アーム７９にリンクロッド８１を取り付けることにより、黒用画像形成ユニット１１Ｋ以外の画像形成ユニット１１Ｙ，１１Ｍ，１１Ｃの帯電ロール１３ａも同時に揺動できるようになっている。
【００４１】
図１２は画像形成ユニット１１Ｙ，１１Ｍ，１１Ｃ，１１Ｋにわたって取り付けられるリンクロッド８１を説明するための図である。本実施の形態では、各画像形成ユニット１１Ｙ，１１Ｍ，１１Ｃ，１１Ｋに、軸７１を中心に揺動自在に配設され、ＲＯＳ３０からのレーザ光（ＬＢ−Ｙ，ＬＢ−Ｍ，ＬＢ−Ｃ，ＬＢ−Ｋ）の光路を開閉するシャッタ７０が取り付けられており、これらシャッタ７０も上述したリンクロッド８１によって揺動されるようになっている。なお、図１２では、ブラック（Ｋ）の画像形成ユニット１１Ｋとシアン（Ｃ）の画像形成ユニット１１Ｃとが示されているが、他の画像形成ユニット１１Ｙ，１１Ｍも同様である。
【００４２】
図１３はリンクロッド８１の斜視図である。本実施の形態において、リンクロッド８１は、所定の形状に折り曲げられた状態に形成された板金からなる。このリンクロッド８１は、駆動アーム７９（図１２参照）の自由端側が挿入される第一の切り欠き部８２を有する水平部８３と、この水平部８３の端部から斜め下方に傾斜した状態で設けられる傾斜部８４と、この傾斜部８４の端部から水平に設けられる連結部８５と、この連結部８５の端部から斜め上方に傾斜した状態で設けられる作動部８６とを一つのセットとして、他の画像形成ユニット１１Ｃ，１１Ｍ，１１Ｙに対応して形成される。但し、第一の切り欠き部８２については、ブラック画像形成ユニット１１Ｋに対応した水平部８３にのみ形成される。
【００４３】
また、各水平部８３には、各画像形成ユニット１１Ｙ，１１Ｍ，１１Ｃ，１１Ｋのシャッタ７０のシャッタ用アーム７２（後述する）が挿入される第二の切り欠き部８７が形成されている。さらに、イエロー（Ｙ）の画像形成ユニット１１Ｙ側の端部に設けられる連結部８５は、本体１（図１参照）に設けられた図示しない支持部に水平方向に移動自在に支持されるようになっている。
【００４４】
図１４は、シャッタ７０が支持される支持フレーム６７を、画像形成ユニット１１Ｋ，１１Ｃ、駆動機構７４およびリンクロッド８１等と共に示した斜視図であり、図１５は、支持フレーム６７単体を示した斜視図である。本実施の形態において、カム６３は、各画像形成ユニット１１Ｙ，１１Ｍ，１１Ｃ，１１Ｋの下部に配設される合成樹脂製の支持フレーム６７に、軸部６４の両端を中心として回動自在に取り付けられている。
【００４５】
また、シャッタ７０も、支持フレーム６７に軸７１の両端を中心として回動自在に取り付けられる。このシャッタ７０の軸７１の両端部には合成樹脂製の板状弾性体からなるシャッタ用アーム７２が装着されており、このシャッタ用アーム７２がリンクロッド８１の第二の切り欠き部８７（図１３参照）に挿入されるようになっている。さらに、シャッタ７０の自由端側には、長手方向に沿ってフィルム７０ａが取り付けられている。さらにまた、シャッタ７０には、レーザ光ＬＢ−Ｙ，ＬＢ−Ｍ，ＬＢ−Ｃ，ＬＢ−Ｋの光路を閉じる方向にシャッタ７０を付勢するコイルスプリング７３が取り付けられている。シャッタ７０に取り付けられたフィルム７０ａが現像器１４（図１２参照）のハウジングに当接することにより、レーザ光ＬＢ−Ｙ，ＬＢ−Ｍ，ＬＢ−Ｃ，ＬＢ−Ｋの光路が閉じられ、メンテナンス時のレーザセーフティを確保すると共に、上方から落下するトナー等の粉塵がＲＯＳ３０のフレーム３２やウィンドウ３３（図２参照）に付着するのを防止している。
【００４６】
次に、リンクロッド８１を用いた各画像形成ユニット１１Ｙ，１１Ｍ，１１Ｃ，１１Ｋにおける帯電ロールクリーナ５４およびブラシクリーナ１００の動作について説明する。
最初に、図１２を参照しながら、各画像形成ユニット１１Ｙ，１１Ｍ，１１Ｃ，１１Ｋの帯電ロール１３ａをクリーニングブラシ５９でクリーニングする動作について説明する。この動作は、各画像形成ユニット１１Ｙ，１１Ｍ，１１Ｃ，１１Ｋによる非画像形成動作時に行われる。
【００４７】
まず、駆動機構７４により駆動アーム７９を図中時計回り方向（右側）に揺動させる。すると、駆動アーム７９の突起７９ａがブラック（Ｋ）の画像形成ユニット１１Ｋのカム６３の膨出部６８ａを押圧する。これと同時に、リンクロッド８１が図中右側にスライドし、リンクロッド８１の作動部８６がシアン（Ｃ）の画像形成ユニット１１Ｃのカム６３の膨出部６８ａを押圧する。また、図示はしていないが、リンクロッド８１の他の作動部８６がマゼンタ（Ｍ）およびイエロー（Ｙ）の画像形成ユニット１１Ｍ，１１Ｙの膨出部６８ａを押圧する。これに伴って、各画像形成ユニット１１Ｙ，１１Ｍ，１１Ｃ，１１Ｋのカム６３が図中反時計回り方向に揺動する。各画像形成ユニット１１Ｙ，１１Ｍ，１１Ｃ，１１Ｋのカム６３が図中反時計回り方向に揺動するのに伴い、カム６３に取り付けられたマイラーフィルム６６が帯電ロールクリーナ５４の下面を押圧する。これに伴い、各画像形成ユニット１１Ｙ，１１Ｍ，１１Ｃ，１１Ｋの帯電ロールクリーナ５４が図中反時計回り方向（上側）に揺動し、帯電ロールクリーナ５４の上面に取り付けられたクリーニングブラシ５９が帯電ロール１３ａに当接することで停止する。
【００４８】
一方、帯電ロールクリーナ５４の下面に短手部１０２ｂ，１０３ｂが接触するブラシクリーナ１００は、帯電ロールクリーナ５４の図中反時計回り方向への揺動に伴い、バネ１０１の付勢力によって図中時計回り方向に揺動し、ワイヤー１０４がクリーニングブラシ５９から離間した状態で停止する。
【００４９】
また、リンクロッド８１が図中右側にスライドするのに伴い、リンクロッド８１の第二の切り欠き部８７の位置が図中右側に移動し、この第二の切り欠き部８７に挿入される各画像形成ユニット１１Ｙ，１１Ｍ，１１Ｃ，１１Ｋのシャッタ７０のシャッタ用アーム７２が、図中右側に向かって付勢される。その結果、各画像形成ユニット１１Ｙ，１１Ｍ，１１Ｃ，１１Ｋのシャッタ７０のシャッタ用アーム７２が、レーザ光ＬＢ−Ｙ，ＬＢ−Ｍ，ＬＢ−Ｃ，ＬＢ−Ｋの光路を閉鎖する。
【００５０】
この状態で、各画像形成ユニット１１Ｙ，１１Ｍ，１１Ｃ，１１Ｋの感光体ドラム１２を回転させると、各感光体ドラム１２に従動回転する各帯電ロール１３ａに各クリーニングブラシ５９が当接することとなり、各帯電ロール１３ａに付着した異物（特にトナー）が除去されることになる。
このような動作を非画像形成時に行うことにより、複雑な機構を用いることなく、各画像形成ユニット１１Ｙ，１１Ｍ，１１Ｃ，１１Ｋの帯電ロール１３ａから異物を取り除くことができ、各感光体ドラム１２の帯電不良を防止することができる。
【００５１】
次に、図１６を参照しながら、各画像形成ユニット１１Ｙ，１１Ｍ，１１Ｃ，１１Ｋのスタンバイ時の動作について説明する。この動作は、各画像形成ユニット１１Ｙ，１１Ｍ，１１Ｃ，１１Ｋによる画像形成動作が終了し、次の画像形成動作が開始される前に行われる。
【００５２】
まず、駆動機構７４により駆動アーム７９を図中反時計回り方向（左側）に揺動させる。すると、駆動アーム７９の突起７９ａによるブラック（Ｋ）の画像形成ユニット１１Ｋのカム６３の膨出部６８ａに対する押圧が解除される。これと同時に、リンクロッド８１が図中左側にスライドし、リンクロッド８１の作動部８６によるシアン（Ｃ）の画像形成ユニット１１Ｃのカム６３の膨出部６８ａに対する押圧が解除される。また、図示はしていないが、リンクロッド８１の他の作動部８６によるマゼンタ（Ｍ）およびイエロー（Ｙ）の画像形成ユニット１１Ｍ、１１Ｙのカム６３の膨出部６８ａに対する押圧も解除される。これに伴って、各画像形成ユニット１１Ｙ，１１Ｍ，１１Ｃ，１１Ｋのカム６３が図中時計回り方向に揺動する。各画像形成ユニット１１Ｙ，１１Ｍ，１１Ｃ，１１Ｋのカム６３が時計回り方向に揺動するのに伴い、カム６３に取り付けられたマイラーフィルム６６が帯電ロールクリーナ５４の下面を押圧しなくなる。これに伴い、各画像形成ユニット１１Ｙ，１１Ｍ，１１Ｃ，１１Ｋの帯電ロールクリーナ５４が図中時計回り方向（下側）に揺動し、帯電ロールクリーナ５４の上面に取り付けられたクリーニングブラシ５９が帯電ロール１３ａから離間した状態で停止する。
【００５３】
一方、帯電ロールクリーナ５４の下面に短手部１０２ｂ，１０３ｂが接触するブラシクリーナ１００は、帯電ロールクリーナ５４の図中反時計回り方向への揺動に伴い、帯電ロールクリーナ５４の重量によってバネ１０１の付勢力に抗して図中反時計回りに揺動し、ワイヤー１０４がクリーニングブラシ５９の毛先を叩きながら帯電ロールクリーナ５４の軸６０側へと移動して停止する。この動作により、クリーニングブラシ５９に付着した異物はワイヤー１０４によって叩き落とされることになる。
【００５４】
なお、各ワイヤー１０４によって叩き落とされた異物は、図示しない吸引機構によって吸引され、図示しないフィルタに捕獲されることとなるため、叩き出された異物が再度帯電ロール１３ａに付着するという事態は生じにくい。
また、ワイヤー１０４と板状部材１０５との間に空間を設けているため、ワイヤー１０４に叩かれたクリーニングブラシ５９はすぐに元の状態に戻ることができ、クリーニングブラシ５９にクセがついて変形してしまうという事態も生じにくい。
【００５５】
さらに、リンクロッド８１が図中左側にスライドするのに伴い、リンクロッド８１の第二の切り欠き部８７の位置が図中左側に移動するが、第二の切り欠き部８７の大きさは、この第二の切り欠き部８７に挿入される各画像形成ユニット１１Ｙ，１１Ｍ，１１Ｃ，１１Ｋのシャッタ７０のシャッタ用アーム７２よりも十分に大きいため、シャッタ用アーム７２はリンクロッド８１によって付勢されない状態となる。その結果、各画像形成ユニット１１Ｙ，１１Ｍ，１１Ｃ，１１Ｋのシャッタ７０は、レーザ光ＬＢ−Ｙ，ＬＢ−Ｍ，ＬＢ−Ｃ，ＬＢ−Ｋの光路を閉鎖した状態を維持する。
【００５６】
このような動作を行うことにより、クリーニングブラシ５９から異物を取り除くことができ、異物の帯電ロール１３ａへの再付着を防止すること、および、クリーニングブラシ５９の寿命を長くすることができる。
【００５７】
最後に、図１７を参照しながら、各画像形成ユニット１１Ｙ，１１Ｍ，１１Ｃ，１１Ｋの画像形成時の動作について説明する。
まず、駆動機構７４により駆動アーム７９をさらに図中反時計回り方向（左側）に揺動させる。すると、駆動アーム７９の突起７９ａがブラック（Ｋ）の画像形成ユニット１１Ｋのカム６３の膨出部６８ａより離間する。これと同時に、リンクロッド８１がさらに図中左側にスライドし、リンクロッド８１の作動部８６がシアン（Ｃ）の画像形成ユニット１１Ｃのカム６３の膨出部６８ａから離間する。また、図示はしていないが、リンクロッド８１の作動部８６がマゼンタ（Ｍ）およびイエロー（Ｙ）の画像形成ユニット１１Ｍ、１１Ｙのカム６３の膨出部６８ａから離間する。但し、各画像形成ユニット１１Ｙ，１１Ｍ，１１Ｃ，１１Ｋのカム６３に対する押圧は既に解除されているため、カム６３に取り付けられたマイラーフィルム６６は帯電ロールクリーナ５４の下面を押圧しない状態を維持し、帯電ロールクリーナ５４の上面に取り付けられたクリーニングブラシ５９は帯電ロール１３ａから離間した状態で停止する状態を維持する。また、ブラシクリーナ１００も、帯電ロールクリーナ５４の軸６０側で停止した状態を維持する。
【００５８】
一方、帯電ロールクリーナ５４に短手部１０２ｂ，１０３ｂが接触するブラシクリーナ１１０も、帯電ロールクリーナ５４の位置が変わらないため、ワイヤー１０４が帯電ロールクリーナ５４の軸６０側で停止した状態を維持する。但し、上述したように、ワイヤー１０４と板状部材１０５との間に空間を設けているため、ワイヤー１０４はクリーニングブラシ５９間に存在することになり、クリーニングブラシ５９にクセがついて変形してしまうという事態は生じにくい。
【００５９】
また、リンクロッド８１が図中左側にスライドするのに伴い、リンクロッド８１の第二の切り欠き部８７の位置がさらに図中左側に移動し、この第二切り欠き部８７に挿入される各画像形成ユニット１１Ｙ，１１Ｍ，１１Ｃ，１１Ｋのシャッタ７０のシャッタ用アーム７２が、今度は図中左側に向かって付勢される。その結果、各画像形成ユニット１１Ｙ，１１Ｍ，１１Ｃ，１１Ｋのシャッタ７０が、レーザ光ＬＢ−Ｙ，ＬＢ−Ｍ，ＬＢ−Ｃ，ＬＢ−Ｋの光路を開放する。
【００６０】
このようにしてシャッタ７０を開放することにより、画像形成を行うことができる。
また、この状態では、クリーニングブラシ５９が帯電ロール１３ａから離間しているので、感光体ドラム１２に従動する帯電ロール１３ａの回転が妨げられにくくなり、画像形成動作時における帯電ロール１３ａの回転不良およびこれに伴う帯電不良や画像形成不良を防止することができる。
【００６１】
―実施の形態２―
本実施の形態は、実施の形態１と略同様であるが、ブラシクリーナの構成を異ならせたものである。なお、本実施の形態において、実施の形態１と同様のものについては、同じ符号を付してその詳細な説明を省略する。
図１８は、本実施の形態におけるブラック（Ｋ）の画像形成ユニット１１Ｋ、駆動機構７４およびリンクロッド８１を示す側面図であり、図１９はその斜視図である。本実施の形態では、実施の形態１で用いた揺動するブラシクリーナ１００に代えて、リンクロッド８１のスライドに従動してスライドするブラシクリーナ１１０を備えている。
【００６２】
このブラシクリーナ１１０は、図１９に示すように、リンクロッド８１の上部であって第二の切り欠き部８７に隣接して固定配置される支持部材１１１（スライド支持部材）と、この支持部材１１１からみて帯電ロールクリーナ５４の軸方向逆側の端部外側に取り付けられるレール１１２（スライド支持部材）と、一端が支持部材１１１に固定されると共に他端側がレール１１２にスライド自在に挿入されるブラシ清掃部材（線状部材）としてのクリーニングロッド１１３とを有している。特に、本実施の形態では、クリーニングロッド１１３の配設高さが、クリーニングブラシ５９の高さと略同じに設定される。なお、他の画像形成ユニット１１Ｙ，１１Ｍ，１１Ｃについても、同様のブラシクリーナ１１０が設けられている。
【００６３】
次に、リンクロッド８１を用いた各画像形成ユニット１１Ｙ，１１Ｍ，１１Ｃ，１１Ｋにおける帯電ロールクリーナ５４およびブラシクリーナ１００の動作について説明する。
最初に、図１８を参照しながら、各画像形成ユニット１１Ｙ，１１Ｍ，１１Ｃ，１１Ｋの帯電ロール１３ａをクリーニングブラシ５９でクリーニングする動作について説明する。この動作は、各画像形成ユニット１１Ｙ，１１Ｍ，１１Ｃ，１１Ｋによる非画像形成動作時に行われる。
【００６４】
まず、駆動機構７４により駆動アーム７９を図中時計回り方向（右側）に揺動させる。すると、駆動アーム７９の突起７９ａがブラック（Ｋ）の画像形成ユニット１１Ｋのカム６３の膨出部６８ａを押圧する。これと同時に、リンクロッド８１が図中右側にスライドし、図示はしていないが、リンクロッド８１の各作動部８６がシアン（Ｃ）、マゼンタ（Ｍ）およびイエロー（Ｙ）の画像形成ユニット１１Ｃ，１１Ｍ，１１Ｙの各膨出部６８ａを押圧する。これに伴って、各画像形成ユニット１１Ｙ，１１Ｍ，１１Ｃ，１１Ｋのカム６３が図中反時計回り方向に揺動する。各画像形成ユニット１１Ｙ，１１Ｍ，１１Ｃ，１１Ｋのカム６３が図中反時計回り方向に揺動するのに伴い、カム６３に取り付けられたマイラーフィルム６６が帯電ロールクリーナ５４の下面を押圧する。これに伴い、各画像形成ユニット１１Ｙ，１１Ｍ，１１Ｃ，１１Ｋの帯電ロールクリーナ５４が図中反時計回り方向（上側）に揺動し、帯電ロールクリーナ５４の上面に取り付けられたクリーニングブラシ５９が帯電ロール１３ａに当接することで停止する。
【００６５】
一方、ブラシクリーナ１１０は、リンクロッド８１の図中右側へのスライドに伴って図中右側にスライドし、クリーニングロッド１１３がクリーニングブラシ５９から離間した状態で停止する。
【００６６】
また、リンクロッド８１が図中右側にスライドするのに伴い、リンクロッド８１の第二の切り欠き部８７の位置が図中右側に移動し、この第二の切り欠き部８７に挿入される各画像形成ユニット１１Ｙ，１１Ｍ，１１Ｃ，１１Ｋのシャッタ７０のシャッタ用アーム７２が、図中右側に向かって付勢される。その結果、各画像形成ユニット１１Ｙ，１１Ｍ，１１Ｃ，１１Ｋのシャッタ７０のシャッタ用アーム７２が、レーザ光ＬＢ−Ｙ，ＬＢ−Ｍ，ＬＢ−Ｃ，ＬＢ−Ｋの光路を閉鎖する。
【００６７】
この状態で、各画像形成ユニット１１Ｙ，１１Ｍ，１１Ｃ，１１Ｋの感光体ドラム１２を回転させると、各感光体ドラム１２に従動回転する各帯電ロール１３ａに各クリーニングブラシ５９が当接することとなり、各帯電ロール１３ａに付着した異物（特に外添剤）が除去されることになる。
このような動作を非画像形成時に行うことにより、本実施の形態においても、複雑な機構を用いることなく、各画像形成ユニット１１Ｙ，１１Ｍ，１１Ｃ，１１Ｋの帯電ロール１３ａから異物を取り除くことができ、各感光体ドラム１２の帯電不良を防止することができる。
【００６８】
次に、図２０を参照しながら、各画像形成ユニット１１Ｙ，１１Ｍ，１１Ｃ，１１Ｋのスタンバイ時の動作について説明する。この動作は、各画像形成ユニット１１Ｙ，１１Ｍ，１１Ｃ，１１Ｋによる画像形成動作が終了し、次の画像形成動作が開始される前に行われる。
【００６９】
まず、駆動機構７４により駆動アーム７９を図中反時計回り方向（左側）に揺動させる。すると、駆動アーム７９の突起７９ａによるブラック（Ｋ）の画像形成ユニット１１Ｋのカム６３の膨出部６８ａに対する押圧が解除される。これと同時に、リンクロッド８１が図中左側にスライドし、図示はしていないが、リンクロッド８１の各作動部８６によるシアン（Ｃ）、マゼンタ（Ｍ）およびイエロー（Ｙ）の画像形成ユニット１１Ｃ，１１Ｍ，１１Ｙの各膨出部６８ａの押圧が解除される。これに伴って、各画像形成ユニット１１Ｙ，１１Ｍ，１１Ｃ，１１Ｋのカム６３が図中時計回り方向に揺動する。各画像形成ユニット１１Ｙ，１１Ｍ，１１Ｃ，１１Ｋのカム６３が時計回り方向に揺動するのに伴い、カム６３に取り付けられたマイラーフィルム６６が帯電ロールクリーナ５４の下面を押圧しなくなる。これに伴い、各画像形成ユニット１１Ｙ，１１Ｍ，１１Ｃ，１１Ｋの帯電ロールクリーナ５４が図中時計回り方向（下側）に揺動し、帯電ロールクリーナ５４の上面に取り付けられたクリーニングブラシ５９が帯電ロール１３ａから離間した状態で停止する。
【００７０】
一方、ブラシクリーナ１１０は、リンクロッド８１の図中左側へのスライドに伴って図中左側にスライドするが、クリーニングロッド１１３がクリーニングブラシ５９に接触する手前で停止する。
【００７１】
さらに、リンクロッド８１が図中左側にスライドするのに伴い、リンクロッド８１の第二の切り欠き部８７の位置が図中左側に移動するが、第二の切り欠き部８７の大きさは、この第二の切り欠き部８７に挿入される各画像形成ユニット１１Ｙ，１１Ｍ，１１Ｃ，１１Ｋのシャッタ７０のシャッタ用アーム７２よりも十分に大きいため、シャッタ用アーム７２はリンクロッド８１によって付勢されない状態となる。その結果、各画像形成ユニット１１Ｙ，１１Ｍ，１１Ｃ，１１Ｋのシャッタ７０は、レーザ光ＬＢ−Ｙ，ＬＢ−Ｍ，ＬＢ−Ｃ，ＬＢ−Ｋの光路を閉鎖した状態を維持する。
【００７２】
このような動作を行うことにより、本実施の形態においても、クリーニングブラシ５９から異物を取り除くことができ、異物の帯電ロール１３ａへの再付着を防止すること、および、クリーニングブラシ５９の寿命を長くすることができる。
【００７３】
最後に、図２１および図２２を参照しながら、各画像形成ユニット１１Ｙ，１１Ｍ，１１Ｃ，１１Ｋの画像形成時の動作について説明する。
まず、駆動機構７４により駆動アーム７９をさらに図中反時計回り方向（左側）に揺動させる。すると、駆動アーム７９の突起７９ａがブラック（Ｋ）の画像形成ユニット１１Ｋのカム６３の膨出部６８ａより離間する。これと同時に、リンクロッド８１が図中さらに左側にスライドし、図示はしていないが、リンクロッド８１の各作動部８６がシアン（Ｃ）、マゼンタ（Ｍ）およびイエロー（Ｙ）の画像形成ユニット１１Ｃ，１１Ｍ，１１Ｙの各膨出部６８ａから離間する。但し、各画像形成ユニット１１Ｙ，１１Ｍ，１１Ｃ，１１Ｋのカム６３に対する押圧は既に解除されているため、カム６３に取り付けられたマイラーフィルム６６は帯電ロールクリーナ５４の下面を押圧しない状態を維持し、帯電ロールクリーナ５４の上面に取り付けられたクリーニングブラシ５９は帯電ロール１３ａから離間した状態で停止する状態を維持する。
【００７４】
一方、ブラシクリーナ１１０は、リンクロッド８１の図中さらに左側へのスライドに伴って図中左側へスライドし、クリーニングロッド１１３がクリーニングブラシ５９の毛先を叩きながら帯電ロールクリーナ５４の軸６０側へと移動して停止する。この動作により、クリーニングブラシ５９に付着した異物はクリーニングロッド１１３によって叩き落とされることになる。
【００７５】
なお、クリーニングロッド１１３によって叩き落とされた異物は、図示しない吸引機構によって吸引され、図示しないフィルタに捕獲されることとなるため、叩き出された異物が再度帯電ロール１３ａに付着するという事態は生じにくい。
また、クリーニングロッド１１３の下部に空間を設けているため、クリーニングロッド１１３に叩かれたクリーニングブラシ５９はすぐに元の状態に戻ることができ、クリーニングブラシ５９にクセがついて変形してしまうという事態も生じにくい。
【００７６】
また、リンクロッド８１が図中左側にスライドするのに伴い、リンクロッド８１の第二の切り欠き部８７の位置が今度は図中左側に移動し、この第二切り欠き部８７に挿入される各画像形成ユニット１１Ｙ，１１Ｍ，１１Ｃ，１１Ｋのシャッタ７０のシャッタ用アーム７２が、今度は図中左側に向かって付勢される。その結果、各画像形成ユニット１１Ｙ，１１Ｍ，１１Ｃ，１１Ｋのシャッタ７０が、レーザ光ＬＢ−Ｙ，ＬＢ−Ｍ，ＬＢ−Ｃ，ＬＢ−Ｋの光路を開放する。
【００７７】
このようにしてシャッタ７０を開放することにより、画像形成を行うことができる。
また、この状態では、クリーニングブラシ５９が帯電ロール１３ａから離間しているので、感光体ドラム１２に従動する帯電ロール１３ａの回転が妨げられにくくなり、画像形成動作時における帯電ロール１３ａの回転不良およびこれに伴う帯電不良や画像形成不良を防止することができる。
特に、本実施の形態では、実施の形態１とは異なり、スタンバイ時においてクリーニングロッド１１３がクリーニングブラシ５９から離間するようになっているため、よりクリーニングブラシ５９の変形を抑制することが可能になる。
【００７８】
―実施の形態３―
本実施の形態は、実施の形態２と略同様であるが、ブラシクリーナ１１０のクリーニングロッド１１３の高さを異ならせたものである。なお、本実施の形態において、実施の形態１と同様のものについては、同じ符号を付してその詳細な説明を省略する。
図２３は、本実施の形態におけるブラック（Ｋ）の画像形成ユニット１１Ｋ、駆動機構７４およびリンクロッド８１を示す側面図である。このブラシクリーナ１１０は、実施の形態２で説明したものと全く同じ構成を有しているが、クリーニングロッド１１３の配設高さが、クリーニングブラシ５９の高さよりも低く、帯電ロールクリーナ５４の高さと略同じに設定される点が異なっている。なお、他の画像形成ユニット１１Ｙ，１１Ｍ，１１Ｃについても、同様のブラシクリーナ１１０が設けられている。
【００７９】
次に、リンクロッド８１を用いた各画像形成ユニット１１Ｙ，１１Ｍ，１１Ｃ，１１Ｋにおける帯電ロールクリーナ５４およびブラシクリーナ１１０の動作について説明する。
最初に、図２３を参照しながら、各画像形成ユニット１１Ｙ，１１Ｍ，１１Ｃ，１１Ｋの帯電ロール１３ａをクリーニングブラシ５９でクリーニングする動作について説明する。この動作は、各画像形成ユニット１１Ｙ，１１Ｍ，１１Ｃ，１１Ｋによる非画像形成動作時に行われる。
【００８０】
まず、駆動機構７４により駆動アーム７９を図中時計回り方向（右側）に揺動させる。すると、駆動アーム７９の突起７９ａがブラック（Ｋ）の画像形成ユニット１１Ｋのカム６３の膨出部６８ａを押圧する。これと同時に、リンクロッド８１が図中右側にスライドし、図示はしていないが、リンクロッド８１の各作動部８６がシアン（Ｃ）、マゼンタ（Ｍ）およびイエロー（Ｙ）の画像形成ユニット１１Ｃ，１１Ｍ，１１Ｙの各膨出部６８ａを押圧する。これに伴って、各画像形成ユニット１１Ｙ，１１Ｍ，１１Ｃ，１１Ｋのカム６３が図中反時計回り方向に揺動する。各画像形成ユニット１１Ｙ，１１Ｍ，１１Ｃ，１１Ｋのカム６３が図中反時計回り方向に揺動するのに伴い、カム６３に取り付けられたマイラーフィルム６６が帯電ロールクリーナ５４の下面を押圧する。これに伴い、各画像形成ユニット１１Ｙ，１１Ｍ，１１Ｃ，１１Ｋの帯電ロールクリーナ５４が図中反時計回り方向（上側）に揺動し、帯電ロールクリーナ５４の上面に取り付けられたクリーニングブラシ５９が帯電ロール１３ａに当接することで停止する。一方、ブラシクリーナ１１０は、リンクロッド８１の図中右側へのスライドに伴って図中右側にスライドし、クリーニングロッド１１３がクリーニングブラシ５９から離間した状態で停止する。
【００８１】
また、リンクロッド８１が図中右側にスライドするのに伴い、リンクロッド８１の第二の切り欠き部８７の位置が図中右側に移動し、この第二の切り欠き部８７に挿入される各画像形成ユニット１１Ｙ，１１Ｍ，１１Ｃ，１１Ｋのシャッタ７０（シャッタ部材）のシャッタ用アーム７２が、図中右側に向かって付勢される。その結果、各画像形成ユニット１１Ｙ，１１Ｍ，１１Ｃ，１１Ｋのシャッタ７０のシャッタ用アーム７２が、レーザ光ＬＢ−Ｙ，ＬＢ−Ｍ，ＬＢ−Ｃ，ＬＢ−Ｋの光路を閉鎖する。
【００８２】
この状態で、各画像形成ユニット１１Ｙ，１１Ｍ，１１Ｃ，１１Ｋの感光体ドラム１２を回転させると、各感光体ドラム１２に従動回転する各帯電ロール１３ａに各クリーニングブラシ５９が当接することとなり、各帯電ロール１３ａに付着した異物（特に外添剤）が除去されることになる。
このような動作を非画像形成時に行うことにより、本実施の形態においても、複雑な機構を用いることなく、各画像形成ユニット１１Ｙ，１１Ｍ，１１Ｃ，１１Ｋの帯電ロール１３ａから異物を取り除くことができ、各感光体ドラム１２の帯電不良を防止することができる。
【００８３】
次に、図２４を参照しながら、各画像形成ユニット１１Ｙ，１１Ｍ，１１Ｃ，１１Ｋのスタンバイ時の動作について説明する。この動作は、各画像形成ユニット１１Ｙ，１１Ｍ，１１Ｃ，１１Ｋによる画像形成動作が終了し、次の画像形成動作が開始される前に行われる。
【００８４】
まず、駆動機構７４により駆動アーム７９を図中反時計回り方向（左側）に揺動させる。すると、駆動アーム７９の突起７９ａによるブラック（Ｋ）の画像形成ユニット１１Ｋのカム６３の膨出部６８ａに対する押圧が解除される。これと同時に、リンクロッド８１が図中左側にスライドし、図示はしていないが、リンクロッド８１の各作動部８６によるシアン（Ｃ）、マゼンタ（Ｍ）およびイエロー（Ｙ）の画像形成ユニット１１Ｃ，１１Ｍ，１１Ｙの各膨出部６８ａの押圧が解除される。これに伴って、各画像形成ユニット１１Ｙ，１１Ｍ，１１Ｃ，１１Ｋのカム６３が図中時計回り方向に揺動する。各画像形成ユニット１１Ｙ，１１Ｍ，１１Ｃ，１１Ｋのカム６３が時計回り方向に揺動するのに伴い、カム６３に取り付けられたマイラーフィルム６６が帯電ロールクリーナ５４の下面を押圧しなくなる。これに伴い、各画像形成ユニット１１Ｙ，１１Ｍ，１１Ｃ，１１Ｋの帯電ロールクリーナ５４が図中時計回り方向（下側）に揺動し、帯電ロールクリーナ５４の上面に取り付けられたクリーニングブラシ５９が帯電ロール１３ａから離間した状態で停止する。
【００８５】
一方、ブラシクリーナ１１０は、リンクロッド８１の図中左側へのスライドに伴って同方向にスライドするが、クリーニングロッド１１３が帯電ロールクリーナ５４に接触する手前で停止する。
【００８６】
さらに、リンクロッド８１が図中左側にスライドするのに伴い、リンクロッド８１の第二の切り欠き部８７の位置が図中左側に移動するが、第二の切り欠き部８７の大きさは、この第二の切り欠き部８７に挿入される各画像形成ユニット１１Ｙ，１１Ｍ，１１Ｃ，１１Ｋのシャッタ７０のシャッタ用アーム７２よりも十分に大きいため、シャッタ用アーム７２はリンクロッド８１によって付勢されない状態となる。その結果、各画像形成ユニット１１Ｙ，１１Ｍ，１１Ｃ，１１Ｋのシャッタ７０は、レーザ光ＬＢ−Ｙ，ＬＢ−Ｍ，ＬＢ−Ｃ，ＬＢ−Ｋの光路を閉鎖した状態を維持する。
【００８７】
このような動作を行うことにより、本実施の形態においても、クリーニングブラシ５９から異物を取り除くことができ、異物の帯電ロール１３ａへの再付着を防止すること、および、クリーニングブラシ５９の寿命を長くすることができる。
【００８８】
最後に、図２５を参照しながら、各画像形成ユニット１１Ｙ，１１Ｍ，１１Ｃ，１１Ｋの画像形成時の動作について説明する。
まず、駆動機構７４により駆動アーム７９をさらに図中反時計回り方向（左側）に揺動させる。すると、駆動アーム７９の突起７９ａがブラック（Ｋ）の画像形成ユニット１１Ｋのカム６３の膨出部６８ａより離間する。これと同時に、リンクロッド８１が図中さらに左側にスライドし、図示はしていないが、リンクロッド８１の各作動部８６がシアン（Ｃ）、マゼンタ（Ｍ）およびイエロー（Ｙ）の画像形成ユニット１１Ｃ，１１Ｍ，１１Ｙの各膨出部６８ａから離間する。但し、各画像形成ユニット１１Ｙ，１１Ｍ，１１Ｃ，１１Ｋのカム６３に対する押圧は既に解除されているため、カム６３に取り付けられたマイラーフィルム６６は帯電ロールクリーナ５４の下面を押圧しない状態を維持し、帯電ロールクリーナ５４の上面に取り付けられたクリーニングブラシ５９は帯電ロール１３ａから離間した状態で停止する状態を維持する。
【００８９】
一方、ブラシクリーナ１１０は、リンクロッド８１の図中左側へのスライドに伴って同方向にスライドし、クリーニングロッド１１３が帯電ロールクリーナ５４に衝突して停止する。これによりクリーニングブラシ５９が振動し、クリーニングブラシ５９に付着した異物は振り落とされる。したがって、本実施の形態では、クリーニングロッド１１３が接離部材として機能する。
なお、振り落とされた異物は、図示しない吸引機構によって吸引され、図示しないフィルタに捕獲されることとなるため、叩き出された異物が再度帯電ロール１３ａに付着するという事態は生じにくい。
【００９０】
また、リンクロッド８１が図中左側にスライドするのに伴い、リンクロッド８１の第二の切り欠き部８７の位置が今度は図中左側に移動し、この第二切り欠き部８７に挿入される各画像形成ユニット１１Ｙ，１１Ｍ，１１Ｃ，１１Ｋのシャッタ７０のシャッタ用アーム７２が、今度は図中左側に向かって付勢される。その結果、各画像形成ユニット１１Ｙ，１１Ｍ，１１Ｃ，１１Ｋのシャッタ７０が、レーザ光ＬＢ−Ｙ，ＬＢ−Ｍ，ＬＢ−Ｃ，ＬＢ−Ｋの光路を開放する。
【００９１】
このようにしてシャッタ７０を開放することにより、画像形成を行うことができる。
また、この状態では、クリーニングブラシ５９が帯電ロール１３ａから離間しているので、感光体ドラム１２に従動する帯電ロール１３ａの回転が妨げられにくくなり、画像形成動作時における帯電ロール１３ａの回転不良およびこれに伴う帯電不良や画像形成不良を防止することができる。
【００９２】
特に、本実施の形態では、実施の形態１や２とは異なり、直接クリーニングブラシ５９に触れることなく、クリーニングブラシ５９が取り付けられる帯電ロールクリーナ５４に衝撃を与え、振動を生じさせることにより異物を振り落とすようになっているため、さらにクリーニングブラシ５９の変形を抑制することが可能になる。
【００９３】
【発明の効果】
以上説明したように、本発明によれば、簡易な構成で、帯電ロール等の帯電部材に付着した異物を取り除く性能を長期にわたって維持することができる。
また、本発明によれば、クリーニングブラシの変形を抑制することができる。
【図面の簡単な説明】
【図１】本実施の形態が適用される画像形成装置の全体構成を示した図である。
【図２】画像形成ユニットの構成を説明するための図である。
【図３】帯電器を示した斜視図である。
【図４】帯電器に取り付けられるクリーナの端部を拡大した図である。
【図５】帯電器に取り付けられるクリーナの全体を示す図である。
【図６】揺動機構および駆動機構を示した斜視図である。
【図７】揺動機構および駆動機構を示した側面図であり、クリーニングブラシによる帯電ロールのクリーニング状態を示す図である。
【図８】カムを示す斜視図である。
【図９】揺動機構および駆動機構を示した側面図であり、ブラシクリーナによるクリーニングブラシのクリーニング状態を示す図である。
【図１０】非クリーニング状態におけるブラシクリーナを示す斜視図である。
【図１１】クリーニング状態におけるブラシクリーナを示す斜視図である。
【図１２】各画像形成ユニットにおけるクリーニングブラシによる帯電ロールのクリーニング状態を示す図である。
【図１３】リンクロッドの斜視図である。
【図１４】画像形成ユニット、駆動機構およびリンクロッドが取り付けられたフレームを示す斜視図である。
【図１５】フレーム単体を示す斜視図である。
【図１６】各画像形成ユニットにおけるスタンバイ状態を示す図である。
【図１７】各画像形成ユニットにおけるシャッタ開放状態を示す図である。
【図１８】実施の形態２の各画像形成ユニットにおけるクリーニングブラシによる帯電ロールのクリーニング状態を示す図である。
【図１９】実施の形態２の非クリーニング状態におけるブラシクリーナを示す斜視図である。
【図２０】実施の形態２の各画像形成ユニットにおけるスタンバイ状態を示す図である。
【図２１】実施の形態２の各画像形成ユニットにおけるシャッタ開放状態を示す図である。
【図２２】実施の形態２のクリーニング状態におけるブラシクリーナを示す斜視図である。
【図２３】実施の形態３の各画像形成ユニットにおけるクリーニングブラシによる帯電ロールのクリーニング状態を示す図である。
【図２４】実施の形態３の各画像形成ユニットにおけるスタンバイ状態を示す図である。
【図２５】実施の形態３の各画像形成ユニットにおけるシャッタ開放状態を示す図である。
【符号の説明】
１…本体、１０…画像プロセス系、１１Ｙ，１１Ｍ，１１Ｃ，１１Ｋ…画像形成ユニット、１２…感光体ドラム、１３…帯電器、１３ａ…帯電ロール、１４…現像器、１５…一次転写ロール、１６…クリーニング装置、２０…転写ユニット、２１…中間転写ベルト、４０…シート搬送系、５０…ＩＰＳ（Ｉｍａｇｅ　Ｐｒｏｃｅｓｓｉｎｇ　Ｓｙｓｔｅｍ）、５４…帯電ロールクリーナ、５９…クリーニングブラシ、６２…揺動機構、６３…カム、６６…マイラーフィルム、７０…シャッタ、７２…シャッタ用アーム、７４…駆動機構、７９…駆動アーム、８１…リンクロッド、８２…第一の切り欠き部、８３…水平部、８４…傾斜部、８５…連結部、８６…作動部、８７…第二の切り欠き部、１００…ブラシクリーナ、１０１…バネ、１０２，１０３…アーム、１０４…ワイヤー、１１０…ブラシクリーナ、１１１…支持部材、１１２…レール、１１３…クリーニングロッド
【図１】
2004109870.tif 000003
【図２】
2004109870.tif 000004
【図３】
2004109870.tif 000005
【図４】
2004109870.tif 000006
【図５】
2004109870.tif 000007
【図６】
2004109870.tif 000008
【図７】
2004109870.tif 000009
【図８】
2004109870.tif 000010
【図９】
2004109870.tif 000011
【図１０】
2004109870.tif 000012
【図１１】
2004109870.tif 000013
【図１２】
2004109870.tif 000014
【図１３】
2004109870.tif 000015
【図１４】
2004109870.tif 000016
【図１５】
2004109870.tif 000017
【図１６】
2004109870.tif 000018
【図１７】
2004109870.tif 000019
【図１８】
2004109870.tif 000020
【図１９】
2004109870.tif 000021
【図２０】
2004109870.tif 000022
【図２１】
2004109870.tif 000023
【図２２】
2004109870.tif 000024
【図２３】
2004109870.tif 000025
【図２４】
2004109870.tif 000026
【図２５】
2004109870.tif 000027